(57)【特許請求の範囲】
【請求項１】
ユーザ機器（ＵＥ）による無線通信のための方法であって、
不連続受信（ＤＲＸ）時間サイクルの長さと、チャネル条件とに少なくとも部分的に基づいて、スケジューリング要求（ＳＲ）遅延を選択することと、ここで、前記ＳＲ遅延は、良好なチャネル条件に対応する第１の遅延値または劣悪なチャネル条件に対応する第２の遅延値とを備える、
前記ＳＲ遅延の後に生じる、アップリンク・リソースを求めるＳＲを送信するための、最初のＳＲ送信機会に対する時間インタバルを備える送信遅延を決定することと、
前記送信遅延と遅延しきい値との比較に基づいて、ＳＲ送信機会を選択することと、ここで、前記送信遅延が前記遅延しきい値を超えるのであれば、前記最初のＳＲ送信機会より前に生じる送信機会が選択される、
前記選択されたＳＲ送信機会において、前記ＳＲを送信することと、を備える方法。
【請求項２】
前記ＳＲ遅延の長さは、前記ＤＲＸ時間サイクルのオフ期間の終了までの長さを備える、請求項１に記載の方法。
【請求項３】
前記第１の遅延値は、２０ミリ秒であり、前記第２の遅延値は５ミリ秒である、請求項１に記載の方法。
【請求項４】
前記遅延しきい値は、前記無線通信を介した音声通信のための一般的な遅延要件に少なくとも部分的に基づいて決定された時間値を備える、請求項１に記載の方法。
【請求項５】
前記選択されたＳＲ送信機会に基づいて、ＤＲＸ処理を修正すること、をさらに備える請求項１に記載の方法。
【請求項６】
ユーザ機器（ＵＥ）による無線通信のための装置であって、
不連続受信（ＤＲＸ）時間サイクルの長さと、チャネル条件とに少なくとも部分的に基づいて、スケジューリング要求（ＳＲ）遅延を選択する手段と、ここで、前記ＳＲ遅延は、良好なチャネル条件に対応する第１の遅延値または劣悪なチャネル条件に対応する第２の遅延値とを備える、
前記ＳＲ遅延の後に生じる、アップリンク・リソースを求めるＳＲを送信するための、最初のＳＲ送信機会に対する時間インタバルを備える送信遅延を決定する手段と、
前記送信遅延と遅延しきい値との比較に基づいて、ＳＲ送信機会を選択する手段と、ここで、前記送信遅延が前記遅延しきい値を超えるのであれば、前記最初のＳＲ送信機会より前に生じる送信機会が選択される、
前記選択されたＳＲ送信機会において、前記ＳＲを送信する手段と、を備える装置。
【請求項７】
前記ＳＲ遅延の長さは、前記ＤＲＸ時間サイクルのオフ期間の終了までの長さを備える、請求項６に記載の装置。
【請求項８】
前記第１の遅延値は２０ミリ秒であり、前記第２の遅延値は５ミリ秒である、請求項６に記載の装置。
【請求項９】
前記遅延しきい値は、前記無線通信を介した音声通信のための一般的な遅延要件に少なくとも部分的に基づいて決定された時間値を備える、請求項６に記載の装置。
【請求項１０】
前記選択されたＳＲ送信機会に基づいて、ＤＲＸ処理を修正する手段、をさらに備える請求項６に記載の装置。
【請求項１１】
その上に記憶されているコンピュータ実行可能なコードを有する非一時的なコンピュータ読取可能な記憶媒体であって、前記コードは、少なくとも１つのプロセッサによって実行された場合に、前記少なくとも１つのプロセッサに対して、
不連続受信（ＤＲＸ）時間サイクルの長さと、チャネル条件とに少なくとも部分的に基づいて、スケジューリング要求（ＳＲ）遅延を選択することと、ここで、前記ＳＲ遅延は、良好なチャネル条件に対応する第１の遅延値または劣悪なチャネル条件に対応する第２の遅延値とを備える、
前記ＳＲ遅延の後に生じる、アップリンク・リソースを求めるＳＲを送信するための、最初のＳＲ送信機会に対する時間インタバルを備える送信遅延を決定することと、
前記送信遅延と遅延しきい値との比較に基づいて、ＳＲ送信機会を選択することと、ここで、前記送信遅延が前記遅延しきい値を超えるのであれば、前記最初のＳＲ送信機会より前に生じる送信機会が選択される、
前記選択されたＳＲ送信機会において、前記ＳＲを送信することと、をさせる非一時的なコンピュータ読取可能な記憶媒体。
【請求項１２】
ユーザ機器（ＵＥ）による無線通信のための装置であって、
少なくとも１つのプロセッサと、
前記少なくとも１つのプロセッサに接続されたメモリとを備え、
前記少なくとも１つのプロセッサは、
不連続受信（ＤＲＸ）時間サイクルの長さと、チャネル条件とに少なくとも部分的に基づいて、スケジューリング要求（ＳＲ）遅延を選択し、ここで、前記ＳＲ遅延は、良好なチャネル条件に対応する第１の遅延値または劣悪なチャネル条件に対応する第２の遅延値とを備える、
前記ＳＲ遅延の後に生じる、アップリンク・リソースを求めるＳＲを送信するための、最初のＳＲ送信機会に対する時間インタバルを備える送信遅延を決定し、
前記送信遅延と遅延しきい値との比較に基づいて、ＳＲ送信機会を選択し、ここで、前記送信遅延が前記遅延しきい値を超えるのであれば、前記最初のＳＲ送信機会より前に生じる送信機会が選択される、
前記選択されたＳＲ送信機会において、前記ＳＲを送信するように構成された、装置。
【請求項１３】
前記ＵＥは送るためのデータパケットを有すると決定することをさらに備え、前記ＳＲ遅延を選択することは、前記決定に対応している請求項１に記載の方法。
【請求項１４】
前記決定された送信遅延が前記遅延しきい値を超えないのであれば、前記最初のＳＲ送信機会が選択される請求項１に記載の方法。
【請求項１５】
前記ＵＥは送るためのデータパケットを有すると決定する手段をさらに備え、前記ＳＲ遅延を選択することは、前記決定に対応している請求項６に記載の装置。
【請求項１６】
前記決定された送信遅延が前記遅延しきい値を超えないのであれば、前記最初のＳＲ送信機会が選択される請求項６に記載の装置。
【発明の詳細な説明】
【優先権主張】
【０００１】
本特許出願は、本明細書において参照によって明確に組み込まれている２０１１年７月２１日出願の米国仮出願６１／５１０，３８９号の利益を要求する。
【技術分野】
【０００２】
本開示のいくつかの態様は、一般に、無線通信システムに関し、さらに詳しくは、電力最適化のためのスケジューリング要求処理を管理する方法および装置に関する。
【背景技術】
【０００３】
無線通信システムは、例えば、音声、データ等のようなさまざまなタイプの通信コンテンツを提供するために広く開発されてきた。これらのシステムは、（例えば、帯域幅および送信電力等のような）利用可能なシステム・リソースを共有することにより、複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力（ＳＩＳＯ）システム、複数入力単一出力（ＭＩＳＯ）システム、または複数入力複数出力（ＭＩＭＯ）システム等によって確立されうる。
【０００５】
ＭＩＭＯシステムは、データ送信のために、複数（ＮＴ個）の送信アンテナと、複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ，ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
ユーザ機器（ＵＥ）は、例えば不連続送信（ＤＴＸ）または不連続受信（ＤＲＸ）のような１または複数の省電力スキームおよび／または電力最適化スキームを利用しうる。これらスキームがイネーブルされた場合、ＵＥは、シャットダウンしうるか、および／または、予め設定された期間、トランシーバ構成要素をディセーブルしうる。これによって、ＵＥのエネルギを節約し、バッテリ寿命を長くする。しかしながら、ＵＥは、省電力スキーム（例えば、ＤＲＸ）を中断させうる予期しない送信を有し、省電力スキームの効果を低減しうる。このため、省電力スキームと送信を調整するための技術および装置に対するニーズがある。
【発明の概要】
【０００８】
本開示のある態様は、無線通信のための方法を提供する。この方法は一般に、不連続受信（ＤＲＸ）時間サイクルに少なくとも部分的に基づいて、アップリンク・リソースを求めるスケジューリング要求（ＳＲ）を送信するための送信機会を決定することと、決定された送信機会において、ＳＲを送信することと、を含む。
【０００９】
本開示のある態様は、無線通信のための装置を提供する。この装置は一般に、不連続受信（ＤＲＸ）時間サイクルに少なくとも部分的に基づいて、アップリンク・リソースを求めるスケジューリング要求（ＳＲ）を送信するための送信機会を決定する手段、を含む。この装置はさらに、決定された送信機会において、ＳＲを送信する手段、を含む。
【００１０】
本開示のある態様は、コンピュータ読取可能な媒体を備えるコンピュータ・プログラム製品を提供する。このコンピュータ読取可能な媒体は一般に、不連続受信（ＤＲＸ）時間サイクルに少なくとも部分的に基づいて、アップリンク・リソースを求めるスケジューリング要求（ＳＲ）を送信するための送信機会を決定し、決定された送信機会において、ＳＲを送信するためのコードを含む。
【００１１】
本開示のいくつかの態様は、少なくとも１つのプロセッサと、少なくとも１つのプロセッサに接続されたメモリとを備える、無線通信のための装置を提供する。この少なくとも１つのプロセッサは一般に、不連続受信（ＤＲＸ）時間サイクルに少なくとも部分的に基づいて、アップリンク・リソースを求めるスケジューリング要求（ＳＲ）を送信するための送信機会を決定し、決定された送信機会において、ＳＲを送信する、ように構成される。
【図面の簡単な説明】
【００１２】
本開示の前述した特徴が、より詳細に理解される方式で、簡潔に要約された上記具体的な記載が、態様に対する参照によってなされている。そして、それらの幾つかは、添付図面で例示されている。
【００１３】
しかしながら、この記載は、その他の等しく有効な態様に対しても適合するので、添付図面は、本開示のある典型的な態様のみを示していることや、本開示の範囲を限定するものとしては考慮されないことが注目されるべきである。
【図１】図１は、多元接続無線通信システムを例示する。
【図２】図２は、通信システムのブロック図である。
【図３】図３は、本開示のいくつかの態様にしたがう、ＤＲＸサイクルに対するスケジューリング要求（ＳＲ）送信機会の例を例示する。
【図４】図４は、本開示のいくつかの態様にしたがって無線デバイス内で利用されうるさまざまな構成要素を例示する。
【図５】図５は、本開示のいくつかの態様にしたがって無線デバイスによって実行されうる動作の例を例示する。
【図６】図６は、本開示のいくつかの態様にしたがう、ＤＲＸサイクルに対するスケジューリング要求（ＳＲ）送信機会と、その最適化された選択との例を例示する。
【図７】図７は、本開示のいくつかの態様にしたがって、ＳＲ送信機会を選択するための動作の例を例示する。
【発明を実施するための形態】
【００１４】
いくつかのケースでは、ユーザ機器（ＵＥ）は、アップリンク・リソースに関する許可を受信するために、動的なスケジューリングを利用しうる。本開示のいくつかの態様によれば、ＵＥは、ＵＥに割り当てられた許可されたリソースを現在有していない場合、アップリンク（ＵＬ）許可を求める要求をするために、基地局へスケジューリング要求（ＳＲ）を送信しうる。ＵＥは、上部レイヤから新たなデータおよび／またはパケットを受信すると、ＳＲ（すなわち、ＳＲ「機会」）を送信するために、予め決定された周期的な時間インタバルを待たねばならない。あるいは、代替例として、アップリンク・リソースへのアクセスを得るために、ランダム・アクセス手順を実行しうる。
【００１５】
一般に、ＵＥは、通信の遅れを最小化するために、新たなデータの到着後、最初に利用可能なＳＲ機会においてＳＲを送信しうる。しかしながら、これは、特に、ＤＲＸのように省電力モードがイネーブルされているケースにおいて、ネットワーク・リソースおよび／または電力消費の観点から、顕著な非効率をもたらしうる。例えば、ＵＥが、ＳＲを送信するために直ちにＤＲＸを出たのであれば、ＤＲＸによって達成されうる全体的な省電力が低減されうる。たとえＵＥが、ＳＲを送信した後に省電力モードに再び入ったとしても、構成要素のオンとオフとが頻繁に切り換えられると、電力消費は、ＤＲＸがイネーブルされていない場合よりも多くなりうる。
【００１６】
したがって、いくつかの態様によれば、ＵＥは、イネーブルされた、例えばＤＲＸのような省電力モードを有する状況においてＳＲを送信するために最適化された時間を決定しうる。以下により詳細に記載されるが、ＵＥは、次に利用可能なＳＲ機会において直ちにＳＲを送信するか否か、あるいは、少なくとも所与のＤＲＸ時間サイクルの終了まで待つべきか否かを判定しうる。
【００１７】
いくつかの態様によれば、ＵＥは、限定される訳ではないが、新たなパケットの到着を伴う特定のベアラに関する遅延要件、ＤＲＸサイクルの長さ、チャネル条件、および／またはＳＲ周期を含むいくつかの要因に基づいて、ＳＲのための送信機会を決定しうる。本開示のいくつかの態様は、接続モードＤＲＸの間、「粗いウェイク・アップ」（rude wake-ups）を最小化するＳＲ処理を制御するための技術を提供する。本開示のいくつかの態様は、有利なことに、ＤＲＸオフ・サイクルの省電力利点を最大化し、電力消費を著しく低減しうる。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００は、「第３世代パートナシップ計画２」（３ＧＰＰ２）と命名された団体からの文書に記載されている。明確化のために、これら技術のある態様は、以下において、ＬＴＥに関して記載されており、ＬＴＥ用語が以下の説明の多くで使用される。
【００１９】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）、またはイボルブドＵＴＲＡ、および／または、ＬＴＥアドバンストにおけるアップリンク多元接続スキームのための動作仮定である。
【００２０】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００２１】
アクセス端末（“ＡＴ”）は、無線端末、ユーザ端末、ユーザ・エージェント、ユーザ・デバイス、ユーザ機器（ＵＥ）、ユーザ局、加入者局、加入者ユニット、移動局、遠隔局、遠隔端末、または、その他いくつかの用語を備えうるか、これらとして実現されうるか、これらとして知られうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書に記載された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００２２】
図１に示すように、１つの態様にしたがった多元接続無線通信システムが例示される。アクセス・ポイント（ＡＰ）１００は、１つは１０４および１０６を含み、別の１つは１０８および１１０を含み、さらに別の１つは１１２および１１４を含む複数のアンテナ・グループを含む。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００２３】
通信するように設計された領域および／またはアンテナのおのおののグループは、しばしば、アクセス・ポイントのセクタと称される。おのおののアンテナ・グループは、アクセス・ポイント１００によってカバーされているエリアのセクタにおけるアクセス端末に通信するように設計されうる。順方向リンク１２０，１２６による通信では、異なるアクセス端末１１６，１２２の順方向リンクの信号対雑音比（ＳＮＲ）を改善するために、アクセス・ポイント１００の送信アンテナが、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２４】
図２は、ＭＩＭＯシステム２００における送信システム２１０（アクセス・ポイントとしても知られている）および受信システム２５０（アクセス端末としても知られている）の態様のブロック図である。送信システム２１０では、多くのデータ・ストリームのトラフィック・データが、データ・ソース２１２から送信（ＴＸ）データ・プロセッサ２１４に提供される。
【００２５】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２６】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２７】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００２８】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２９】
受信システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３０】
ＲＸデータ・プロセッサ２６０は、その後、ＮＲ個の受信機２５４からＮＲ個のシンボル・ストリームを受信し、受信されたこれらシンボル・ストリームを、特定の受信処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信システム２１０におけるＴＸ  ＭＩＭＯプロセッサ２２０およびＴＸデータ・プロセッサ２１４によって実行されるものに対して相補的である。
【００３１】
プロセッサ２７０は、どのプリコーディング行列を利用するのかを定期的に決定する。さらに、プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３２】
いくつかの態様によれば、受信システム２５０は、例えばＤＴＸまたはＤＲＸのような省電力スキームを実現するように構成されうる。電力消費を低減するために、受信システム２５０は、限定される訳ではないが、ＮＲ＞個のアンテナ２５２ａ乃至２５２ｒ、受信機２５４ａ乃至２５４ｒ、およびＲＸデータ・プロセッサ２６０を含む１または複数の構成要件をディセーブルまたはシャット・オフするように構成されうる。いくつかの態様によれば、プロセッサ２７０は、しばしばＤＲＸ時間サイクルまたはＤＲＸサイクルと称される周期的な時間インタバルの少なくとも一部をオフするための１または複数の構成要素を決定しうる。
【００３３】
いくつかの態様によれば、ＴＸデータ・プロセッサ２３８は、送信システム２１０へのアップリンク送信のためのトラフィック・データをデータ・ソース２３６から受信する。ＴＸデータ・プロセッサ２３８は、トラフィック・データの受信を、例えば、新たなパケット到着として示すために、プロセッサ２７０にシグナルしうる。いくつかの態様によれば、新たなパケット到着に応じて、プロセッサ２７０は、送信システム２１０からのアップリンク許可を要求するためのＳＲの送信のためのＳＲ機会を含む時間インタバルを決定および／または選択しうる。プロセッサ２７０は、以下にさらに記載されるようないくつかの態様にしたがって、ＤＲＸ時間サイクルに基づいて、ＳＲ送信のためのＳＲ機会を決定するように構成されうる。これによって、ＳＲ送信は、ＤＲＸスキームの省電力効率を下げないようになりうる。
【００３４】
送信システム２１０では、受信システム２５０からの変調された信号が、アンテナ２２４によって受信され、受信機２２２によって調整され、復調器２４０によって復調され、ＲＸデータ・プロセッサ２４２によって処理されて、受信システム２５０によって送信された逆方向リンク・メッセージが抽出される。さらに、プロセッサ２３０は、ビームフォーミング重みを決定するためにどのプリコーディング行列を使用するかを決定し、この抽出されたメッセージを処理する。
【００３５】
論理チャネルは、一般に、制御チャネルおよびトラフィック・チャネルへ分類されることが理解される。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためのマルチメディア・ブロードキャストおよびマルチキャスト・サービス（ＭＢＭＳ）スケジューリングおよび制御情報を送信するために使用されるポイント・トゥ・マルチポイントＤＬチャネルであるマルチキャスト制御チャネル（ＭＣＣＨ）とを備える。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。また、マルチキャスト・トラフィック・チャネル（ＭＴＣＨ）は、トラフィック・データを送信するためのポイント・トゥ・マルチポイントＤＬチャネルである。
【００３６】
さらに、伝送チャネルはＤＬとＵＬに分類されることが理解される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＵＥ省電力のサポートのためのＰＣＨ（不連続受信（ＤＲＸ）サイクルがネットワークによってＵＥへ示される）は、セル全体にわたってブロードキャストされ、物理リソースへマップされる。物理リソースは、他の制御／トラフィック・チャネルのために使用されうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３７】
ＤＬ  ＰＨＹチャネルは以下を備える。  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）
ＵＬ  ＰＨＹチャネルは以下を備える。  
物理ランダム・アクセス・チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有要求チャネル（ＳＲＥＱＣＨ）  
ＵＬ物理共有データ・チャネル（ＵＬ−ＰＳＤＣＨ）  
ブロードキャスト・パイロット・チャネル（ＢＰＩＣＨ）
本書の目的のために、以下の略語を適用する。  
ＡＣＫ          アクノレッジメント  
ＡＭ            アクノレッジ・モード  
ＡＭＤ          アクノレッジ・モード・データ  
ＡＲＱ          自動反復要求  
ＢＣＣＨ        ブロードキャスト制御チャネル  
ＢＣＨ          ブロードキャスト・チャネル  
ＢＷ            帯域幅  
Ｃ−            制御−  
ＣＢ            コンテンション・ベース  
ＣＣＥ          制御チャンネル要素  
ＣＣＣＨ        共通制御チャネル  
ＣＣＨ          制御チャネル  
ＣＣＴｒＣＨ    符号化された合成伝送チャネル  
ＣＤＭ          符号分割多重  
ＣＦ            コンテンション・フリー  
ＣＰ            サイクリック・プレフィクス  
ＣＱＩ          チャネル品質インジケータ  
ＣＲＣ          巡回冗長検査  
ＣＲＳ          共通基準信号  
ＣＴＣＨ        共通トラフィック・チャネル  
ＤＣＣＨ        専用制御チャネル  
ＤＣＨ          専用チャネル  
ＤＣＩ          ダウンリンク制御情報  
ＤＬ            ダウンリンク  
ＤＲＳ          専用基準信号  
ＤＳＣＨ        ダウンリンク共有チャネル  
ＤＳＰ          デジタル信号プロセッサ  
ＤＴＣＨ        専用トラフィック・チャネル  
Ｅ−ＣＩＤ      エンハンスト・セル識別情報  
ＥＰＳ          イボルブド・パケット・システム  
ＦＡＣＨ        順方向リンク・アクセス・チャネル  
ＦＤＤ          周波数分割デュプレクス  
ＦＤＭ          周波数分割多重  
ＦＳＴＤ        周波数切換送信ダイバーシティ  
ＨＡＲＱ        ハイブリッド自動反復／要求  
ＨＷ            ハードウェア  
ＩＣ            干渉除去  
Ｌ１            レイヤ１（物理レイヤ）  
Ｌ２            レイヤ２（データ・リンク・レイヤ）  
Ｌ３            レイヤ３（ネットワーク・レイヤ）  
ＬＩ            長さインジケータ  
ＬＬＲ          ログ尤度比  
ＬＳＢ          最下位ビット  
ＭＡＣ          媒体アクセス制御  
ＭＢＭＳ        マルチメディア・ブロードキャスト・マルチキャスト・サービス  
ＭＣＣＨ        ＭＢＭＳポイント・トゥ・マルチポイント制御チャネル  
ＭＭＳＥ        最小平均平方誤差  
ＭＲＷ          動き受信ウィンドウ  
ＭＳＢ          最上位ビット  
ＭＳＣＨ        ＭＢＭＳポイント・トゥ・マルチポイント・スケジューリング・チャネル  
ＭＴＣＨ        ＭＢＭＳポイント・トゥ・マルチポイント・トラフィック・チャネル  
ＮＡＣＫ        非アクノレッジメント  
ＰＡ            電力増幅器  
ＰＢＣＨ        物理ブロードキャスト・チャネル  
ＰＣＣＨ        ページング制御チャネル  
ＰＣＨ          ページング・チャネル  
ＰＣＩ          物理セル識別子  
ＰＤＣＣＨ      物理ダウンリンク制御チャネル  
ＰＤＵ          プロトコル・データ・ユニット  
ＰＨＩＣＨ      物理ＨＡＲＱインジケータ・チャネル  
ＰＨＹ          物理レイヤ  
ＰｈｙＣＨ      物理チャネル  
ＰＭＩ          プリコーディング行列インジケータ  
ＰＲＡＣＨ      物理ランダム・アクセス・チャネル  
ＰＳＳ          一次同期信号  
ＰＵＣＣＨ      物理アップリンク制御チャネル  
ＰＵＳＣＨ      物理アップリンク共有チャネル  
ＱｏＳ          サービス品質  
ＲＡＣＨ        ランダム・アクセス・チャネル  
ＲＢ            リソース・ブロック  
ＲＬＣ          ラジオ・リンク制御  
ＲＲＣ          ラジオ・リソース制御  
ＲＥ            リソース要素  
ＲＩ            ランク・インジケータ  
ＲＮＴＩ        ラジオ・ネットワーク・テンポラリ識別子  
ＲＳ            基準信号  
ＲＴＴ          往復時間  
Ｒｘ            受信  
ＳＡＰ          サービス・アクセス・ポイント  
ＳＤＵ          サービス・データ・ユニット  
ＳＦＢＣ        空間周波数ブロック符号  
ＳＨＣＣＨ      共有チャネル制御チャネル  
ＳＩＮＲ        信号対干渉および雑音比  
ＳＮ            シーケンス番号  
ＳＲ            スケジューリング要求  
ＳＲＳ          サウンディング基準信号  
ＳＳＳ          二次同期信号  
ＳＵ−ＭＩＭＯ  単一ユーザ複数入力複数出力  
ＳＵＦＩ        スーパ・フィールド  
ＳＷ            ソフトウェア  
ＴＡ            タイミング先行  
ＴＣＨ          トラフィック・チャネル  
ＴＤＤ          時分割デュプレクス  
ＴＤＭ          時分割多重  
ＴＦＩ          伝送フォーマット・インジケータ  
ＴＰＣ          送信電力制御  
ＴＴＩ          送信時間インタバル  
Ｔｘ            送信  
Ｕ−            ユーザ−  
ＵＥ            ユーザ機器  
ＵＬ            アップリンク  
ＵＭ            非アクノレッジ・モード  
ＵＭＤ          非アクノレッジ・モード・データ  
ＵＭＴＳ        ユニバーサル・モバイル通信システム  
ＵＴＲＡ        ＵＭＴＳ地上ラジオ・アクセス  
ＵＴＲＡＮ      ＵＭＴＳ地上ラジオ・アクセス・ネットワーク  
ＶＯＩＰ        ボイス・オーバ・インターネット・プロトコル  
ＭＢＳＦＮ      マルチキャスト・ブロードキャスト単一周波数ネットワーク  
ＭＣＨ          マルチキャスト・チャネル  
ＤＬ−ＳＣＨ    ダウンリンク共有チャネル  
ＰＤＣＣＨ      物理ダウンリンク制御チャネル  
ＰＤＳＣＨ      物理ダウンリンク共有チャネル
（スケジューリング要求遅延を用いた電力最適化）  
本開示のいくつかの態様は、ＤＲＸ省電力動作のための技術を提供する。いくつかの態様によれば、ＵＥは、不連続受信（ＤＲＸ）時間サイクルに少なくとも部分的に基づいて、アップリンク・リソースのためのスケジューリング要求（ＳＲ）を送信するための送信機会を決定しうる。
【００３８】
以下にさらに詳細に記載されるように、（例えば、音声コールのような）所与のアプリケーションのためのパフォーマンス・パラメータが、ＤＲＸを出ることなく満足されうるのであれば、ＵＥは待機し、ＤＲＸを出た後、送信機会においてＳＲを送信しうる。一方、ＵＥは、待機している場合に、パフォーマンス・パラメータが満足されないと判定したのであれば、（スケジュールされたＤＲＸオフ・サイクルの間、）より早期の送信機会を選択しうる。いくつかの態様によれば、この判定は、チャネル品質に基づいて決定された値を持つ設定可能なタイマに基づきうる。
【００３９】
前述したように、ＵＥは、低電力モードのためにＵＥによって利用されている時間インタバル（すなわち、ＤＲＸオフ・サイクル）の間、１または複数の構成要素をオフしうる。別の構成要素は、別の電力オフ時間を有しうるので、正確にどのハードウェア構成要素がＤＲＸオフ・サイクル中にスイッチ・オフされるかは、推定されたオフ・サイクルの長さ（これは、ｔｓｌｅｅｐパラメータと称されうる）に依存しうる。
【００４０】
たとえば、いくつかの態様によれば、時間Ｔ１未満（例えば、ｔｓｌｅｅｐ＜Ｔ１）として定義された最短の「オフ」期間の間、どの構成要素もオフされない。時間Ｔ１と時間Ｔ２との間に定義された期間（例えば、Ｔ１＜ｔｓｌｅｅｐ＜Ｔ２）の場合、単一の構成要素のみ、または（単数または複数の）構成要素Ｘ（例えば、ＲＦチェーン）がオフされうる。ｔｓｌｅｅｐが増加すると、ある期間を超えるまで、追加の構成要素もまたオフされ、ほとんどの構成要素がパワー・ダウン（ディープ・スリープ）されうる。いくつかのケースでは、特定のモデム・アーキテクチャおよび/または仕様に基づいて、異なる時間しきい値が決定されうる。
【００４１】
図３は、ＵＥによってＤＲＸから得られた電力効率にＳＲスケジューリングがどのように影響を与えるのかを例示することに役立ちうるフレーム３００の例を例示する。例示されるように、時間フレーム３００は、複数の送信時間インタバル３０２（ＴＩＩ）によって形成される。
【００４２】
例示されるように、ＵＥは、周期的なＤＲＸサイクル３５０を備える省電力ＤＲＸスキームを利用しうる。図示されるように、ＵＥは、周期的な持続期間（例えば、onDuration３０４）中、アクティブな送信および／または受信を備えるアクティブ状態にありうる。ここでは、ＵＥの１または複数の構成要素が電源オンされ、利用されている。いくつかの態様によれば、ＵＥは、持続時間３０４を追跡するためにタイマ（例えば、onDurationタイマ）を利用しうる。例示されるように、ＵＥは、ＵＥにアドレスされた送信を求めて、物理ダウンリンク制御チャネル（ＰＤＣＣＨ）をモニタしうる。
【００４３】
３０６において、onDurationタイマが終了すると、ＵＥは、１または複数の構成要素の電源をオフしうる。いくつかの態様によれば、次に推定されるウェイク・アップ時間は、一般に、次のonDuration時間３０８でありうる。そのため、１つの特別な例では、ＤＲＸサイクル３５０が２０ミリ秒の周期を有すると仮定して、ＵＥは、ラジオ・トランシーバ構成要素の電源を落とし始めうる。
【００４４】
図示されるように、３１０では、onDuration期間３０４が終了した後、この例では、onDuration期間終了後ちょうど４ＴＴＩで、新たなパケットが到着しうる。ＵＥは、送信すべき新たなパケットが検出されることに応じて、新たなパケットを送信するためのリソースのためのアップリンク許可を求めるために、ＳＲを送信するように努めうる。しかしながら、新たなパケットの到着時に、ＵＥは、電力を落としているか、電力を落とす過程にある。
【００４５】
例示されるように、ＳＲ機会３１２は、ＵＥが新たなパケットを受信した後に２つのＴＴＩ（すなわち、最後のonDuration３０４の終了後、６ＴＴＩ）を発生させる。ＵＥは、ＳＲを送信するためにＳＲ機会３１２を使用することを試みるのであれば、ＤＲＸサイクル３５０の残りのために、アクティブ・モードに居続ける必要がありうることが理解されうる。例えば、３１４に図示されるように、ＵＥは、ＴＸ  ＴＩＩ  ３１６として図示されるように、後の時間インタバルにおいて、アップリンク・リソースを用いて新たなデータ・パケットを送信するための新たなアップリンク許可を受信しうる。３１８に図示されるように、ＵＥは、その後、この送信のアクノレッジメントを待ちうる。
【００４６】
したがって、この例では、ＵＥは、最初に利用可能なＳＲ  ＴＸ機会３１２においてＳＲを送信するために、ＤＲＸサイクルを出ているので、ＤＲＸサイクルの大部分はアクティブ状態で使われ、電源が落とされなかった。ここでは、はるかに高い電力効率技術が提供される。これは、いくつかのアプリケーションにおいてデータ・パケットが到着するパターンの知識を利用しうる。
【００４７】
例えば、ボイス・オーバＩＰアプリケーションでは、データ・パケットは正確に２０ミリ秒離れて到着し、このパターンが繰り返すであろうことが期待されうる。そのため、最初のＳＲ機会が常に使用されていたのであれば、ＤＲＸサイクルは、繰り返し中断されるであろう。そして、ＤＲＸからの電力効率利得が最小になりうる。前述したように、ＵＥは、構成要素をオンとオフとに頻繁に切り換えすぎる際のペナルティによって、ＤＲＸをまったく利用しない事例に比べて、より高い電力消費量を経験しさえしうる。
【００４８】
しかしながら、本明細書で表された技術は、動的なスケジューリングを伴う不連続受信で動作している場合、ＳＲ機会を知的に選択することによって、電力を節約するために使用されうる技術を提供する。本開示のいくつかの態様は、特に、ＬＴＥを介したボイス・オーバＩＰ（ＶｏＩＰ）通信の間、スケジューリング要求遅延を制御することによって、アップリンク・トラフィックの間、電力最適化を提供する。いくつかのケースでは、以下により詳細に記載されるように、ＵＥがすでにアクティブ・モードにある場合に、ＤＲＸサイクル・オフ期間後に生じるＳＲ機会を選択することを遅延させている間、パフォーマンス要件は未だに満たされうる。その結果、ＵＥは、ＤＲＸオフ期間を時期尚早に出る必要は無く、ＤＲＸ省電力の喪失が回避されうる。
【００４９】
図４は、図１に例示される無線通信システム内で適用されうる無線デバイス４００内で利用できるさまざまな構成要素を例示する。無線デバイス４００は、電力最適化のためのスケジューリング要求を管理するために、本明細書で記載されているさまざまな方法を実施するように構成されうるデバイスの例である。
【００５０】
無線デバイス４００は、図１のユーザ端末１１６，１２２または図２の受信システム２５０のうちの何れかでありうる一方、以下の詳細な記載は、ＵＥ４００として、無線デバイス４００を区別なく称しうる。
【００５１】
図示されるように、ＵＥ４００は、１または複数のＤＲＸパラメータおよび／またはＳＲパラメータをスケジューリング要求（ＳＲ）マネジャ４０４へ提供するプロセッサ構成要素４０２を含む。いくつかの態様によれば、プロセッサ構成要素４０２は、アップリンク送信のための新たなデータ・パケットが到着したことを示すインジケーションをＳＲマネジャ４０４へ提供しうる。
【００５２】
いくつかの態様によれば、ＳＲマネジャ４０４は、（「ＳＲ送信機会」として図示される）ＳＲをいつ送信するのかを決定するように構成されうる。いくつかの態様によれば、ＳＲマネジャ４０４は、少なくとも部分的にＤＲＸ時間サイクルに基づいて、アップリンク・リソースを求めるＳＲを送信するための送信機会を決定する。いくつかの態様によれば、ＳＲマネジャ４０４は、（例えば、ＤＲＸ時間サイクルおよび周期を定義する）１または複数のＤＲＸパラメータ、および／または、１または複数のＳＲパラメータに少なくとも部分的に基づいて送信機会を決定する。
【００５３】
図示されるように、いくつかの態様によれば、ＳＲマネジャ４０４は、決定されたＳＲ送信機会の間、ＳＲを基地局（図示せず）に送信してＵＬ許可を要求するために、送信構成要素４０８へ、決定されたＳＲ送信機会を提供する。さらに、図示されるように、ＳＲマネジャ４０４は、決定されたＳＲ送信機会を、不連続受信（ＤＲＸ）マネジャ４０６へ提供する。
【００５４】
いくつかの態様によれば、ＤＲＸマネジャ４０６は、バッテリ寿命を温存し、電力消費量を低減するために、予め設定された持続時間（しばしば、「オフ・サイクル」または「ダウン・サイクル」と称される）オフするための１または複数の構成要素を決定するように構成されうる。ＤＲＸマネジャ４０６は、決定された持続時間、無線デバイス４００の１または複数の構成要素をイネーブルおよび／またはディセーブルするように、これら構成要素へシグナルしうる。例えば、図４に図示されるように、ＤＲＸマネジャ４０６は、送信構成要素４０８および受信構成要素４１０へ、これら構成要素をイネーブルおよび／またはディセーブルするようにシグナルしうる。ＤＲＸマネジャ４０６は、無線デバイス４００の別の構成要素をさらにイネーブルおよび／またはディセーブルしうることが考慮される。
【００５５】
いくつかの態様によれば、ＤＲＸマネジャ４０６は、例えば、プロセッサ構成要素４０２から受信したＤＲＸパラメータに少なくとも部分的に基づいて、電源をオフするための１または複数の構成要素を決定するように構成されうる。いくつかの態様によれば、ＤＲＸマネジャ４０６は、（例えば、システム・フレーム番号（ＳＦＮ）によって）ＤＲＸがトリガされた場合、これら構成要素をディセーブルするように構成されうる。いくつかの態様によれば、異なる構成要素は、異なる電力サイクル時間を有しうる。それゆえ、いくつかのハードウェア構成要素は、推定されたオフ・サイクルの長さに依存して、ＤＲＸオフ・サイクルの間、スイッチ・オフされうる。
【００５６】
前述したように、ＤＲＸオフ・サイクルの間、正確にどの構成要素が電力オフされるかは、オフ持続時間に依存しうる。電力オフされうる構成要素の例は、ラジオ・トランシーバ（送信および／または受信）、モバイル・データ・モデム（ＭＤＭ）構成要素、および／または、モデム・プロセッサ（例えば、ソフトウェアおよびファームウェアのために構成されたプロセッサ）を含む。長い持続期間、極端な低電力状態（ディープ・スリープ）では、コア構成要素および／またはクロック構成要素（例えば、温度補償水晶発振器または“ＴＣＸＯ”）を除き、ほとんどすべての構成要素が、オフされうる。
【００５７】
いくつかの態様によれば、ＤＲＸマネジャ４０６は、決定されたＳＲ送信機会を示すインジケーションを、ＳＲマネジャ４０４から受信しうる。次に使用されるべき、決定されたＳＲ送信機会を受信することに応じて、ＤＲＸマネジャ４０６は、ＳＲ機会を送信するために必要とされる１または複数の構成要素をイネーブルするように準備するように構成されうる。例えば、ＤＲＸマネジャ４０６は、送信構成要素４０８がＳＲを送信できるように、送信構成要素４０８が、「電源オン」され、規定されたＳＲ送信機会中にアクティブ状態にあるようにスケジュールしうる。
【００５８】
いくつかの態様によれば、１つの典型的な電力最適化技術は以下の通りである。すなわち、ＵＥがＳＲを送信する前、新たなパケットの到着後、ＳＲマネジャ４０４が、設定可能な長さの時間が経過する（すなわち、遅延する）ことを可能にしうる。以下により詳しく記載されるように、ＳＲマネジャ４０４は、パフォーマンス・パラメータが満足されていることを保証するＳＲ機会を選択しうる。
【００５９】
ある態様によれば、このタイマは、ｔＳＲと称されうる。そして、以下の例の場合、ｔＳＲの値は２０ミリ秒でありうる。さらに、以下の例の場合、ＳＲの周期は、１０ミリ秒であるように設定されうる。そのため、所与のＤＲＸサイクルの場合、ＤＲＸマネジャは、ＵＥがＳＲを送信するべき時間を通知され、ＤＲＸマネジャは、それにしたがって計画しうる。
【００６０】
図５は、本開示の態様にしたがって電力最適化のためのスケジューリング要求を管理するためにＵＥによって実行されうる動作５００の例を例示する。
【００６１】
この動作５００は、５０２において、不連続受信（ＤＲＸ）時間サイクルに少なくとも部分的に基づいて、アップリンク・リソースのためのスケジューリング要求（ＳＲ）を送信するための送信機会（ＴＸ  ＯＰ）をＵＥが決定することで始まる。いくつかの態様によれば、この遅れが大きすぎて、アプリケーション・パフォーマンスに大いに影響を与えるならば、この送信機会は、ＤＲＸ時間サイクル後に生じる第１の送信機会を備える。
【００６２】
方法５００は、５０４へ続き、ここでは、ＵＥが、決定された送信機会でＳＲを送信する。いくつかの態様によれば、ＵＥは、ＤＲＸ時間サイクル中に生じる１または複数のＳＲ送信機会をスキップしうる。いくつかの態様によれば、ＵＥは、決定された送信機会に基づいて、ＤＲＸ処理を修正しうる。例えば、ＵＥは、ＳＲを送信するために、１または複数の構成要素をオンするようにＤＲＸ処理を修正しうる。
【００６３】
いくつかの態様によれば、ＵＥは、ＳＲ遅延パラメータに少なくとも部分的に基づいて、送信機会を決定しうる。ＳＲ遅延パラメータは、限定される訳ではないが、ＤＲＸ時間サイクルの長さおよびチャネル条件を含む多くの要因に基づいて決定されうる。いくつかの態様によれば、ＳＲ遅延パラメータは、設定可能であり、もしも、チャネル条件が「良好」であれば、第１の遅延値に設定し、チャネル条件が「劣悪」であれば、第２の遅延値に設定しうる。
【００６４】
１つの具体的な実施では、第１の遅延値は２０ミリ秒であり、第２の遅延値は５ミリ秒でありうる。これらの値は、一般に、無線通信による音声通信のための遅延要件に基づいて選択されうる。例えば、ＳＲ遅延は、５０−６０ミリ秒を超過しないことが予め決定されうる。設定可能なＳＲ遅延パラメータがどのようにして使用されるかの一例は、図６および図７を参照して説明されうる。
【００６５】
図６は、本開示のいくつかの態様にしたがって、イネーブルされている不連続受信を用いて要求タイミングをスケジュールする例を図示する時間フレーム６００の例示である。図３に関し、図示されている時間フレーム６００は、複数の送信時間インタバル３０２（ＴＴＩ）を備える。いくつかの態様によれば、図６は、いくつかの態様にしたがって現在のＤＲＸサイクルが終了するまで、ＳＲスケジューリングが、ＳＲを送信することをどのように遅延させるのかの例を例示する。
【００６６】
図示されるように、そして、図３に関して説明されたものと同様に、ＵＥは、周期的なＤＲＸサイクル６５０を備える省電力ＤＲＸスキームを利用しうる。図示されるように、ＵＥは、周期的な持続期間６０４(例えば、onDuration期間）、アクティブな送信および／または受信を備えるアクティブ状態にありうる。ここでは、ＵＥの実質的にすべての構成要素が、電源をオンにされ、利用されている。図示された態様では、ＵＥは、ＵＥにアドレスされた送信を求めてＰＤＣＣＨをモニタしうる。いくつかの態様によれば、ＵＥは、例えばonDurationタイマのようなタイマを用いて、持続期間６０４を追跡しうる。
【００６７】
本明細書では、本開示のいくつかの態様にしたがって、特に、約５０−６０ミリ秒の遅延要件を有しうるボイス・オーバＩＰ通信のために、電力消費量を最適化するためにＳＲを管理するアルゴリズムが提供される。いくつかの態様によれば、ＳＲマネジャ４０４は、遅延パラメータを示す１または複数の設定可能なパラメータを提供しうる。いくつかの態様によれば、ＳＲマネジャ４０４は、「良好」なチャネル条件および「劣悪な」チャネル条件それぞれの遅延に対応する、ｔＳＲ＿１およびｔＳＲ＿２と称される２つの設定可能なパラメータを提供しうる。「劣悪な」チャネル条件の遅延パラメータは、「劣悪な」チャネル条件で生じうる１または複数の再送信および／またはＨＡＲＱを備えるより長い送信を予想するために、「良好な」チャネル条件よりも短い持続時間において設定されうる。１つの特定の実施では、ｔＳＲ＿１およびｔＳＲ＿２のための値は、それぞれ２０ミリ秒および５ミリ秒である。「良好な」チャネル条件が以下にさらに詳細に記載される。
【００６８】
図示されるように、新たなパケット到着６０６が受信されると、ＳＲマネジャ４０４は、以下のようにして（現在時間をｔｃｕｒｒｅｎｔとして）、ＳＲをいつ送信するのかを計算しうる。いくつかの態様によれば、ＳＲマネジャ４０４は、適切な遅延パラメータ値の後の時間の時間（例えば、ｔｃｕｒｒｅｎｔ＋ｔＳＲ＿ｉ、ここで、ｉは、チャネル条件に依存する）において生じる第１のＳＲ機会を決定しうる。この時間は、ここで、ｔＳｅｎｄ＿ＳＲと称されうる（すなわち、ｔＳｅｎｄ＝ｔｃｕｒｒｅｎｔ＋ｔＳＲ＿ｉ）。したがって、ＳＲマネジャ４０４は、ｔＳｅｎｄ＿ＳＲが、遅延しきい値後に生じる（すなわち、ｔＳｅｎｄ＿ＳＲ−ｔｃｕｒｒｅｎｔ＞ｔｔｈｒｅｓｈｏｌｄ）か否かを判定し、もしもそうであれば、ＳＲマネジャ４０４は、以前のＳＲ機会を選択し、ＳＲがしきい遅延よりも決して遅れることがないことが保証される。１つの実施によれば、遅延しきい値（すなわち、ｔｔｈｒｅｓｈｏｌｄ）は、３０ミリ秒に設定されうる。いくつかの態様によれば、ＳＲマネジャ４０４は、ＤＲＸマネジャ４０６に対して、次のＳＲ送信時間を通知しうる。
【００６９】
図６に図示されるように、ＵＥは、ＳＲを送信することを遅延させ、ＤＲＸサイクル６５０中に生じるＳＲ機会６０８，６１０をスキップする。いくつかの態様によれば、ＵＥは、送信機会を、遅延パラメータ後に生じるＳＲ機会６１４として決定する。図示されるように、ＳＲ機会６１４は、ＤＲＸサイクル６５０が完了した後に生じるので、これによって、ＤＲＸサイクル６５０のフル電力節約による恩恵が可能となる。さらに、ＵＥは、例えば、パケット到着６１２のように、遅延したＳＲ送信を含む調停期間に到着しうる新たなデータ・パケットをバンドルしうる。
【００７０】
いくつかの態様によれば、ＶｏＩＰ通信における「良好な」チャネル条件は、適応マルチ・レート（ＡＭＲ）コーデックにおいて利用される伝送ブロック・サイズに基づいて定義されうる。１つの実施によれば、１２．２ＫｂｐｓのＡＭＲコーデックの場合、さまざまな物理リソース・ブロック（ＲＢ）割当が、１パケットＶｏＩＰ送信および２パケットＶｏＩＰ送信のために利用されうる。所与の伝送ブロック・サイズ・インデクス（ＩＴＢＳ）の場合、１または２つのＶｏＩＰパケットを送信するために必要とされる対応する伝送ブロック・サイズ（ＴＢＳ）が存在しうる。例えば、ＩＴＢＳ＝７の場合、４ＲＢ割当のために、４７２のＴＢＳが必要とされうる。経験的な結果に基づいて、ＩＴＢＳ≧１７であるすべての行は、単一のＲＢを用いて少なくとも１つのＶｏＩＰパケットを送信することをサポートしうると判定されている。したがって、いくつかの態様によれば、パケット・バンドリングを用いる場合でさえも、割当が受信されると、少なくとも１つのパケットが送信されうると仮定することが安全でありうる。したがって、この領域は、本開示のいくつかの態様によれば、「良好なチャネル」と特徴付けられる。本開示のいくつかの態様は、その他の適切な伝送ブロック・サイズ、仕様、および／または、良好なチャネルであるか劣悪なチャネルであるかを特徴付けるためのその他の適切な定義を利用しうることが考慮される。
【００７１】
図７は、ＤＲＸサイクル長さおよびチャネル条件に基づいてＳＲ  ＴＸ機会を選択するための動作７００の例を例示する。言い換えれば、この動作７００は、図５に図示される動作５０２に対応するものと考慮されうる。
【００７２】
この動作は、７０２において、ＳＲの送信を遅延させるために設定可能なタイマ（ｔＳＲ）のための値を、チャネル条件に基づいて選択することによって始まる。前述したように、ｔＳＲは、良好なチャネル条件の場合、第１の値（例えば、ｔＳＲ＿１＝５ミリ秒）に設定されうるか、または、劣悪なチャネル条件の場合、第２の値（例えば、ｔＳＲ＿２＝２０ミリ秒）に設定されうる。
【００７３】
７０４において、ＵＥは、設定可能な遅延期間（ｔＣＵＲＲＥＮＴ＋ｔＳＲ）の後、第１のＳＲ  ＴＸ機会のための時間（ｔＳＥＮＤ＿ＳＲ）を認識しうる。
【００７４】
ＵＥはその後、７０６において、この遅延が、しきい制限未満である（ｔＳＥＮＤ＿ＳＲ−ｔＣＵＲＲＥＮＴ＞ｔＴＨＲＥＳＨＯＬＤ）か否かを判定しうる。例えば、このしきい制限は、遅延要件が満足されていることを保証するように設定されうる（例えば、ｔＴＨＲＥＳＨＯＬＤ＝３０ミリ秒）。
【００７５】
ＳＲ  ＴＸ機会遅延が、しきい制限未満である（、そして、遅延パフォーマンス・パラメータが満足される）のであれば、７０８において、設定可能な遅延後に生じるＳＲ  ＴＸ機会が選択される。この結果、図６に戻って示すように、ＳＲ  ＴＸ機会６１４が選択され、フルＤＲＸオフ・サイクルが、フル電力節電で維持されることが可能となる。
【００７６】
ＳＲ  ＴＸ機会遅延がしきい制限未満ではない（、そして、遅延パフォーマンス・パラメータが満足されていない）のであれば、ＵＥは、７１０において、以前のＳＲ  ＴＸ機会を選択しうる。この結果、図６に戻って示すように、ＳＲ  ＴＸ機会６０８または６１０が選択されるようになる。これは、遅延要件を満足するために、ＵＥがＤＲＸを時期尚早に出る必要がありうることを意味する。
【００７７】
本開示のいくつかの態様は、電力最適化スキーム中、スケジューリング要求を管理するための方法および装置を提供する。前述したように、本開示のいくつかの態様は、有利なことに、例えばＤＲＸおよび／またはＤＴＸのように、省電力スキームと共存する動的なスケジューリングを提供する。本明細書に開示された技術がなければ、ＵＥは、ＳＲを送信するために、所与のＤＲＸオフ・サイクル中にコンスタントにウェイク・アップしうる。これは、ＶｏＩＰ  ＬＴＥ電力消費量を顕著に増加させる。
【００７８】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。例えば、送信する手段、および／または、スキップする手段は、例えば、図２に図示される受信システム２５０（例えば、無線端末）の送信機ユニット２５４のような送信機を備えうる。あるいは、判定する手段、および／または、修正する手段は、例えば、図２に例示される受信システム２５０のプロセッサ２７０のような１または複数のプロセッサを含みうる処理システムを備えうる。これらの手段はまた、図４のプロセッサ構成要素４０２、ＳＲマネジャ４０４、ＤＲＸマネジャ４０６、送信機構成要素４０８、および／または、受信機構成要素４１０からなる任意の適切な組み合わせをも備えうる。
【００７９】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８０】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８１】
本明細書で開示された態様に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８２】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８３】
開示された態様の前述した説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴と一致した最も広い範囲に相当することが意図されている。
以下に、出願当初の特許請求の範囲に記載された発明を付記する。
［Ｃ１］
無線通信のための方法であって、
不連続受信（ＤＲＸ）時間サイクルに少なくとも部分的に基づいて、アップリンク・リソースを求めるスケジューリング要求（ＳＲ）を送信するための送信機会を決定することと、
前記決定された送信機会において、前記ＳＲを送信することと、
を備える方法。
［Ｃ２］
前記送信機会は、前記ＤＲＸ時間サイクルの後に生じる最初の送信機会を備える、Ｃ１に記載の方法。
［Ｃ３］
前記決定することはさらに、前記送信機会が前記ＤＲＸ時間サイクル中に生じるか否かに少なくとも部分的に基づいて、前記送信機会を決定することを備える、Ｃ１に記載の方法。
［Ｃ４］
前記決定することはさらに、ＳＲ遅延パラメータに少なくとも部分的に基づいて前記送信機会を決定することを備える、Ｃ１に記載の方法。
［Ｃ５］
前記ＳＲ遅延パラメータは、前記ＤＲＸ時間サイクルの長さに基づいて決定される、Ｃ４に記載の方法。
［Ｃ６］
前記ＳＲ遅延パラメータは、チャネル条件に基づいて決定される、Ｃ４に記載の方法。
［Ｃ７］
前記ＳＲ遅延パラメータは、良好なチャネル条件に対応する第１の遅延値と、劣悪なチャネル条件に対応する第２の遅延値とを備える、Ｃ４に記載の方法。
［Ｃ８］
前記第１の遅延値は２０ミリ秒であり、前記第２の遅延値は５ミリ秒である、Ｃ７に記載の方法。
［Ｃ９］
前記決定することはさらに、前記送信機会が、ＳＲ遅延インタバル後に生じる最初のＳＲ機会であると判定することを備え、
前記最初のＳＲ機会は、遅延しきい値の後に生じない、Ｃ１に記載の方法。
［Ｃ１０］
前記遅延しきい値は、前記無線通信を介した音声通信のための一般的な遅延要件に少なくとも部分的に基づいて決定された時間値を備える、Ｃ９に記載の方法。
［Ｃ１１］
前記決定することはさらに、
予め決定されたＳＲ遅延後の最初のＳＲ機会に対する時間インタバルを備える送信遅延を決定することと、
前記送信遅延が遅延しきい値を超えないのであれば、前記送信機会が前記最初のＳＲ機会であると決定することと
を備える、Ｃ１に記載の方法。
［Ｃ１２］
前記決定することはさらに、前記送信遅延が前記遅延しきい値を超えるのであれば、前記送信機会がすぐ次のＳＲ機会であると決定することを備える、Ｃ１１に記載の方法。
［Ｃ１３］
前記ＤＲＸ時間サイクル中に生じる１または複数のＳＲ送信機会をスキップすること、をさらに備えるＣ１に記載の方法。
［Ｃ１４］
前記決定された送信機会に基づいて、ＤＲＸ処理を修正すること、をさらに備えるＣ１に記載の方法。
［Ｃ１５］
無線通信のための装置であって、
不連続受信（ＤＲＸ）時間サイクルに少なくとも部分的に基づいて、アップリンク・リソースを求めるスケジューリング要求（ＳＲ）を送信するための送信機会を決定する手段と、
前記決定された送信機会において、前記ＳＲを送信する手段と、
を備える装置。
［Ｃ１６］
前記送信機会は、前記ＤＲＸ時間サイクルの後に生じる最初の送信機会を備える、Ｃ１５に記載の装置。
［Ｃ１７］
前記決定する手段はさらに、前記送信機会が前記ＤＲＸ時間サイクル中に生じるか否かに少なくとも部分的に基づいて、前記送信機会を決定する手段を備える、Ｃ１５に記載の装置。
［Ｃ１８］
前記決定する手段はさらに、ＳＲ遅延パラメータに少なくとも部分的に基づいて前記送信機会を決定する手段を備える、Ｃ１５に記載の装置。
［Ｃ１９］
前記ＳＲ遅延パラメータは、前記ＤＲＸ時間サイクルの長さに基づいて決定される、Ｃ１８に記載の装置。
［Ｃ２０］
前記ＳＲ遅延パラメータは、チャネル条件に基づいて決定される、Ｃ１８に記載の装置。
［Ｃ２１］
前記ＳＲ遅延パラメータは、良好なチャネル条件に対応する第１の遅延値と、劣悪なチャネル条件に対応する第２の遅延値とを備える、Ｃ１８に記載の装置。
［Ｃ２２］
前記第１の遅延値は２０ミリ秒であり、前記第２の遅延値は５ミリ秒である、Ｃ２１に記載の装置。
［Ｃ２３］
前記決定する手段はさらに、前記送信機会は、ＳＲ遅延インタバル後に生じる最初のＳＲ機会であると判定する手段を備え、
前記最初のＳＲ機会は、遅延しきい値の後に生じない、Ｃ１５に記載の装置。
［Ｃ２４］
前記遅延しきい値は、前記無線通信を介した音声通信のための一般的な遅延要件に少なくとも部分的に基づいて決定された時間値を備える、Ｃ２３に記載の装置。
［Ｃ２５］
前記決定する手段はさらに、
予め決定されたＳＲ遅延後の最初のＳＲ機会に対する時間インタバルを備える送信遅延を決定する手段と、
前記送信遅延が遅延しきい値を超えないのであれば、前記送信機会が前記最初のＳＲ機会であると決定する手段と
を備える、Ｃ１５に記載の装置。
［Ｃ２６］
前記決定する手段はさらに、前記送信遅延が前記遅延しきい値を超えるのであれば、前記送信機会がすぐ次のＳＲ機会であると決定する手段を備える、Ｃ２５に記載の装置。
［Ｃ２７］
前記ＤＲＸ時間サイクル中に生じる１または複数のＳＲ送信機会をスキップする手段、をさらに備えるＣ１５に記載の装置。
［Ｃ２８］
前記決定された送信機会に基づいて、ＤＲＸ処理を修正する手段、をさらに備えるＣ１５に記載の装置。
［Ｃ２９］
コンピュータ・プログラム製品であって、
不連続受信（ＤＲＸ）時間サイクルに少なくとも部分的に基づいて、アップリンク・リソースを求めるスケジューリング要求（ＳＲ）を送信するための送信機会を決定することと、
前記決定された送信機会において、前記ＳＲを送信することと、
のためのコードを備えるコンピュータ読取可能な媒体を備える、コンピュータ・プログラム製品。
［Ｃ３０］
無線通信のための装置であって、
少なくとも１つのプロセッサと、
前記少なくとも１つのプロセッサに接続されたメモリとを備え、
前記少なくとも１つのプロセッサは、
不連続受信（ＤＲＸ）時間サイクルに少なくとも部分的に基づいて、アップリンク・リソースを求めるスケジューリング要求（ＳＲ）を送信するための送信機会を決定し、
前記決定された送信機会において、前記ＳＲを送信する
ように構成された、装置。
【図１】
0005911956.tif 000002
【図２】
0005911956.tif 000003
【図３】
0005911956.tif 000004
【図４】
0005911956.tif 000005
【図５】
0005911956.tif 000006
【図６】
0005911956.tif 000007
【図７】
0005911956.tif 000008